(57)【要約】【課題】樹脂で形成されたレンズを含む場合でも、撮像素子の高画素化に対応しうる高い光学性能を備えた、安価で、小型、軽量の撮像レンズを提供する。【解決手段】撮像レンズは、物体側から順に、第１レンズ群Ｇ11と、第２レンズ群Ｇ12と、第３レンズ群Ｇ13と、が配置されて構成される。また、第１レンズ群Ｇ11の物体側面近傍に、所定の口径を規定する開口絞りＳＴが設けられている。第１レンズ群Ｇ11は、物体側から順に配置された、樹脂で形成された正の屈折力を有する第１レンズＬ111と、樹脂で形成された負の屈折力を有する第２レンズＬ112とにより構成された正の屈折力を有する接合レンズが配置されて構成される。第２レンズ群Ｇ12は、像面ＩＭＧ側に凸面を向けたメニスカス形状の負の屈折力を有するレンズＬ121が配置されて構成される。第３レンズ群Ｇ13は、物体側に凸面を向けたメニスカス形状の正の屈折力を有するレンズＬ131が配置されて構成される。【選択図】図１
2010026495.tif 000002
【特許請求の範囲】
【請求項１】
物体側から順に配置された、第１レンズ群と、第２レンズ群と、第３レンズ群と、を備えて構成され、
前記１レンズ群は、前記物体側から順に配置された、樹脂で形成された正の屈折力を有する第１レンズと、樹脂で形成された負の屈折力を有する第２レンズとにより構成された正の屈折力を有する接合レンズが配置されて構成され、
前記第２レンズ群は、負の屈折力を有するレンズが配置されて構成され、
前記第３レンズ群は、正の屈折力を有するレンズが配置されて構成されていることを特徴とする撮像レンズ。
【請求項２】
前記第１レンズ群の焦点距離をｆ1、前記撮像レンズ全系の焦点距離をｆとするとき、以下の条件式を満足することを特徴とする請求項１に記載の撮像レンズ。
（１）  ０．５＜ｆ1／ｆ＜１．０
【請求項３】
前記第１レンズ群の第１レンズの焦点距離をｆ11、前記第１レンズ群の第２レンズの焦点距離をｆ12、前記第１レンズ群の第１レンズのｄ線における屈折率をｎ1、前記第１レンズ群の第２レンズのｄ線における屈折率をｎ2とするとき、以下の条件式を満足することを特徴とする請求項１または２に記載の撮像レンズ。
（２）  ０．３＜｜ｆ11／ｆ12｜＜１．０
（３）  ０＜ｎ2−ｎ1
【請求項４】
前記撮像レンズの全長をＯＰ、前記撮像レンズの有効像円の直径を２Ｙとするとき、以下の条件式を満足することを特徴とする請求項１〜３のいずれかひとつに記載の撮像レンズ。
（４）  ＯＰ／２Ｙ＜２．０
【請求項５】
少なくとも１面に非球面が形成されていることを特徴とする請求項１〜４のいずれかひとつに記載の撮像レンズ。
【請求項６】
前記第２レンズ群を、樹脂で形成されているレンズを用いて構成したことを特徴とする請求項１〜５のいずれかひとつに記載の撮像レンズ。
【請求項７】
前記第３レンズ群を、樹脂で形成されているレンズを用いて構成したことを特徴とする請求項１〜６のいずれかひとつに記載の撮像レンズ。
【発明の詳細な説明】
【技術分野】
【０００１】
この発明は、ＣＣＤ（Ｃｈａｒｇｅｄ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子が備えられた電子撮像装置に好適な小型軽量の撮像レンズに関する。
【背景技術】
【０００２】
従来・近年、携帯電話機やデジタルカメラなどをはじめとする携帯型の電子撮像装置が広く普及している。そして、近年の電子撮像装置の小型化にともない、電子撮像装置に搭載される撮像レンズもより一層の小型化が要求されている。そこで、このような要求を満足すべく、小型の撮像レンズが数多く提案されている（たとえば、特許文献１〜４を参照。）。
【０００３】
特許文献１に記載された撮像レンズは、プラスチック材により形成されたレンズのみが用いられている３枚３群構成のレンズである。特許文献２に記載された撮像レンズは、プラスチック材により形成されたレンズ同士を接合させることにより、良好な色収差補正を実現した広角レンズである。特許文献３に記載された撮像レンズは、ガラス材により形成されたレンズ同士を接合させることにより、良好な色収差補正を実現したレンズである。また、特許文献４に記載された撮像レンズは、第１レンズ群に低分散ガラス材により形成されたレンズを備えることで、良好な色収差補正を実現したレンズである。
【先行技術文献】
【特許文献】
【０００４】
【特許文献１】特開２００６−１６３３４０号公報
【特許文献２】特開２００６−２８４６２０号公報
【特許文献３】特開２００２−２２８９２２号公報
【特許文献４】特開２００６−９８９７６号公報
【発明の概要】
【発明が解決しようとする課題】
【０００５】
近年、さらなる高画質が求められているため、撮像装置に用いられる撮像素子の高画素化が促進されている。一般に、撮像素子の高画素化には、撮像素子のセルサイズの極小化または撮像素子の大型化で対応する。しかしながら、前者では光量が低下し、後者では撮像レンズの焦点距離を長くしなければならなくなるため、いずれも色収差補正が困難になる。
【０００６】
このような問題は、特許文献４に記載されている撮像レンズのように、低分散ガラス材により形成されているレンズを備えることで解決することは可能であるが、低分散のガラス材は高価であるため、撮像レンズの製造コストが跳ね上がるという問題が発生する。加えて、ガラス材が用いられているため、重くなるという問題もある。また、特許文献３に記載されている撮像レンズであっても、接合レンズに低分散ガラス材を用いることで、色収差の補正は可能になるが、特許文献４に記載の撮像レンズと同様な問題が発生することになる。
【０００７】
一方、特許文献１，２に記載されている撮像レンズの構成では、樹脂材質においては屈折率・分散比の選択幅が狭いため、撮像素子の高画素化にともなう色収差補正が困難であるという問題がある。
【０００８】
この発明は、上述した従来技術による問題点を解消するため、樹脂で形成されたレンズを含む場合でも、撮像素子の高画素化に対応しうる高い光学性能を備えた、安価で、小型、軽量の撮像レンズを提供することを目的とする。
【課題を解決するための手段】
【０００９】
上述した課題を解決し、目的を達成するため、請求項１の発明にかかる撮像レンズは、物体側から順に配置された、第１レンズ群と、第２レンズ群と、第３レンズ群と、を備えて構成され、前記１レンズ群は、前記物体側から順に配置された、樹脂で形成された正の屈折力を有する第１レンズと、樹脂で形成された負の屈折力を有する第２レンズとにより構成された正の屈折力を有する接合レンズが配置されて構成され、前記第２レンズ群は、負の屈折力を有するレンズが配置されて構成され、前記第３レンズ群は、正の屈折力を有するレンズが配置されて構成されていることを特徴とする。
【００１０】
この請求項１に記載の発明によれば、樹脂で形成されたレンズを含む場合でも、撮像素子の高画素化に対応しうる高い光学性能を備えた、安価で小型の撮像レンズを提供することができる。
【００１１】
また、請求項２の発明にかかる撮像レンズは、請求項１に記載の発明において、前記第１レンズ群の焦点距離をｆ1、前記撮像レンズ全系の焦点距離をｆとするとき、以下の条件式を満足することを特徴とする。
（１）  ０．５＜ｆ1／ｆ＜１．０
【００１２】
この請求項２に記載の発明によれば、諸収差の補正を効果的に行うことができる。
【００１３】
また、請求項３の発明にかかる撮像レンズは、請求項１または２に記載の発明において、前記第１レンズ群の第１レンズの焦点距離をｆ11、前記第１レンズ群の第２レンズの焦点距離をｆ12、前記第１レンズ群の第１レンズのｄ線における屈折率をｎ1、前記第１レンズ群の第２レンズのｄ線における屈折率をｎ2とするとき、以下の条件式を満足することを特徴とする。
（２）  ０．３＜｜ｆ11／ｆ12｜＜１．０
（３）  ０＜ｎ2−ｎ1
【００１４】
この請求項３に記載の発明によれば、球面収差および色収差を効果的に補正することができる。
【００１５】
また、請求項４の発明にかかる撮像レンズは、請求項１〜３のいずれかひとつに記載の発明において、前記撮像レンズの全長をＯＰ、前記撮像レンズの有効像円の直径を２Ｙとするとき、以下の条件式を満足することを特徴とする。
（４）  ＯＰ／２Ｙ＜２．０
【００１６】
この請求項４に記載の発明によれば、より全長の短い小型の撮像レンズを提供することができる。
【００１７】
また、請求項５の発明にかかる撮像レンズは、請求項１〜４のいずれかひとつに記載の発明において、少なくとも１面に非球面が形成されていることを特徴とする。
【００１８】
この請求項５に記載の発明によれば、少ないレンズ枚数で諸収差を効果的に補正できるとともに、光学系の小型軽量化、製造コストの低減化を図ることができる。
【００１９】
また、請求項６の発明にかかる撮像レンズは、請求項１〜５のいずれかひとつに記載の発明において、前記第２レンズ群を、樹脂で形成されているレンズを用いて構成したことを特徴とする。
【００２０】
この請求項６に記載の発明によれば、より安価で、軽量の撮像レンズを提供することができる。
【００２１】
また、請求項７の発明にかかる撮像レンズは、請求項１〜６のいずれかひとつに記載の発明において、前記第３レンズ群を、樹脂で形成されているレンズを用いて構成したことを特徴とする。
【００２２】
この請求項７に記載の発明によれば、より安価で、軽量の撮像レンズを提供することができる。
【発明の効果】
【００２３】
この発明によれば、樹脂で形成されたレンズを含む場合でも、撮像素子の高画素化に対応しうる高い光学性能を備えた、安価で、小型、軽量の撮像レンズを提供することができるという効果を奏する。
【図面の簡単な説明】
【００２４】
【図１】実施例１にかかる撮像レンズの構成を示す光軸に沿う断面図である。
【図２】実施例１にかかる撮像レンズの球面収差図である。
【図３】実施例１にかかる撮像レンズのｄ線（λ＝５８７．５６ｎｍ）における非点収差図および歪曲収差図である。
【図４】実施例２にかかる撮像レンズの構成を示す光軸に沿う断面図である。
【図５】実施例２にかかる撮像レンズの球面収差図である。
【図６】実施例２にかかる撮像レンズのｄ線（λ＝５８７．５６ｎｍ）における非点収差図および歪曲収差図である。
【図７】実施例３にかかる撮像レンズの構成を示す光軸に沿う断面図である。
【図８】実施例３にかかる撮像レンズの球面収差図である。
【図９】実施例３にかかる撮像レンズのｄ線（λ＝５８７．５６ｎｍ）における非点収差図および歪曲収差図である。
【図１０】実施例４にかかる撮像レンズの構成を示す光軸に沿う断面図である。
【図１１】実施例４にかかる撮像レンズの球面収差図である。
【図１２】実施例４にかかる撮像レンズのｄ線（λ＝５８７．５６ｎｍ）における非点収差図および歪曲収差図である。
【図１３】実施例５にかかる撮像レンズの構成を示す光軸に沿う断面図である。
【図１４】実施例５にかかる撮像レンズの球面収差図である。
【図１５】実施例５にかかる撮像レンズのｄ線（λ＝５８７．５６ｎｍ）における非点収差図および歪曲収差図である。
【図１６】実施例６にかかる撮像レンズの構成を示す光軸に沿う断面図である。
【図１７】実施例６にかかる撮像レンズの球面収差図である。
【図１８】実施例６にかかる撮像レンズのｄ線（λ＝５８７．５６ｎｍ）における非点収差図および歪曲収差図である。
【図１９】実施例７にかかる撮像レンズの構成を示す光軸に沿う断面図である。
【図２０】実施例７にかかる撮像レンズの球面収差図である。
【図２１】実施例７にかかる撮像レンズのｄ線（λ＝５８７．５６ｎｍ）における非点収差図および歪曲収差図である。
【図２２】実施例８にかかる撮像レンズの構成を示す光軸に沿う断面図である。
【図２３】実施例８にかかる撮像レンズの球面収差図である。
【図２４】実施例８にかかる撮像レンズのｄ線（λ＝５８７．５６ｎｍ）における非点収差図および歪曲収差図である。
【図２５】実施例９にかかる撮像レンズの構成を示す光軸に沿う断面図である。
【図２６】実施例９にかかる撮像レンズの球面収差図である。
【図２７】実施例９にかかる撮像レンズのｄ線（λ＝５８７．５６ｎｍ）における非点収差図および歪曲収差図である。
【図２８】実施例１０にかかる撮像レンズの構成を示す光軸に沿う断面図である。
【図２９】実施例１０にかかる撮像レンズの球面収差図である。
【図３０】実施例１０にかかる撮像レンズのｄ線（λ＝５８７．５６ｎｍ）における非点収差図および歪曲収差図である。
【図３１】実施例１１にかかる撮像レンズの構成を示す光軸に沿う断面図である。
【図３２】実施例１１にかかる撮像レンズの球面収差図である。
【図３３】実施例１１にかかる撮像レンズのｄ線（λ＝５８７．５６ｎｍ）における非点収差図および歪曲収差図である。
【発明を実施するための形態】
【００２５】
以下、添付図面を参照して、この発明にかかる撮像レンズの好適な実施の形態を詳細に説明する。
【００２６】
この発明の実施の形態にかかる撮像レンズは、物体側から順に、第１レンズ群と、第２レンズ群と、第３レンズ群と、が配置されて構成される。前記第１レンズ群は、前記物体側から順に配置された、樹脂で形成された正の屈折力を有する第１レンズと、樹脂で形成された負の屈折力を有する第２レンズとにより構成された正の屈折力を有する接合レンズが配置されて構成されている。前記第２レンズ群は、負の屈折力を有するレンズが配置されて構成されている。前記第３レンズ群は、正の屈折力を有するレンズが配置されて構成されている。なお、この撮像レンズでは、所定の口径を規定する開口絞りが、前記第１レンズ群の物体側面近傍、または前記第１レンズ群と前記第２レンズ群との間に配置される。
【００２７】
このように構成されたこの実施の形態にかかる撮像レンズは、樹脂で形成されたレンズを含む場合でも、撮像素子の高画素化に対応しうる高い光学性能を備えた、安価で、小型、軽量の撮像レンズになる。
【００２８】
この実施の形態にかかる撮像レンズは、撮像素子が備えられている電子撮像装置に用いることを想定している。そして、近年、急速に進む撮像素子の高画素化および装置の小型化に対応するため、より小型で高い光学性能を備えた撮像レンズを提供することを目的としている。そこで、かかる目的を達成するため、前述の構成に加えて、以下に示す条件を設定している。
【００２９】
まず、この実施の形態にかかる撮像レンズでは、前記第１レンズ群の焦点距離をｆ1、当該撮像レンズ全系の焦点距離をｆとするとき、次の条件式を満足することが好ましい。（１）  ０．５＜ｆ1／ｆ＜１．０
【００３０】
条件式（１）は、この撮像レンズ全系の焦点距離に対する前記第１レンズ群の焦点距離の比率を規定する式である。この条件式（１）を満足することにより、諸収差の補正を効果的に行うことができる。条件式（１）においてその下限を下回ると、像面湾曲の増大、または球面収差、コマ収差の発生が顕著になる。一方、条件式（１）においてその上限を超えると、色収差が大きく発生することになり、好ましくない。
【００３１】
また、この実施の形態にかかる撮像レンズでは、前記第１レンズ群の第１レンズの焦点距離をｆ11、前記第１レンズ群の第２レンズの焦点距離をｆ12とするとき、次の条件式を満足することが好ましい。
（２）  ０．３＜｜ｆ11／ｆ12｜＜１．０
【００３２】
条件式（２）は、前記第１レンズ群を構成する第２レンズの焦点距離に対する前記第１レンズ群を構成する第１レンズの焦点距離の比率の絶対値を規定する式である。この条件式（２）を満足することにより、球面収差の増減を制御することができる。｜ｆ11／ｆ12｜の値がこの条件式（２）で規定された範囲から外れると、球面収差を補正しきれなくなるため、好ましくない。
【００３３】
また、この実施の形態にかかる撮像レンズでは、前記第１レンズ群の第１レンズのｄ線における屈折率をｎ1、前記第１レンズ群の第２レンズのｄ線における屈折率をｎ2とするとき、次の条件式を満足することが好ましい。
（３）  ０＜ｎ2−ｎ1
【００３４】
条件式（３）は、前記第１レンズ群を構成する第２レンズのｄ線における屈折率と前記第１レンズ群を構成する第１レンズのｄ線における屈折率との差を規定する式である。この条件式（３）を満足することにより、色収差を効果的に補正することができる。条件式（３）においてその下限を下回ると、色収差の補正が困難になるため、好ましくない。
【００３５】
また、この実施の形態にかかる撮像レンズでは、当該撮像レンズの全長（撮像レンズの最物体側面から像面までの距離）をＯＰ、当該撮像レンズの有効像円の直径を２Ｙとするとき、次の条件式を満足することが好ましい。
（４）  ＯＰ／２Ｙ＜２．０
【００３６】
条件式（４）は、この撮像レンズの有効像円の直径に対する撮像レンズの全長の比率を規定する式である。この条件式（４）を満足することにより、全長の短い小型の撮像レンズを提供することができる。条件式（４）においてその上限を超えると、撮像レンズの全長が長くなりすぎ、好ましくない。
【００３７】
この実施の形態にかかる撮像レンズでは、上記条件式（１）〜（４）を順次満足することにより、より光学性能が高く、小型の撮像レンズになる。ただし、条件式（２），（３）は同時に満足することが好ましい。
【００３８】
さらに、この実施の形態にかかる撮像レンズでは、少なくとも１面に非球面が形成されていることが好ましい。このようにすることで、少ないレンズ枚数で諸収差をより効果的に補正できるとともに、光学系の小型軽量化、製造コストの低減化を図ることができる。また、前記第２レンズ群、前記第３レンズ群を構成するレンズの一方または双方を樹脂で形成すれば、より安価で、軽量の撮像レンズを提供することができる。
【００３９】
以上説明したように、この実施の形態にかかる撮像レンズは、上記のような特徴を備えているので、樹脂で形成されたレンズを含む場合でも、撮像素子の高画素化に対応しうる高い光学性能を備えた、安価で、小型、軽量のレンズになる。また、この撮像レンズは、適宜非球面が形成されたレンズを用いて構成することにより、少ないレンズ枚数で諸収差を効果的に補正できるとともに、光学系の小型軽量化、製造コストの低減化を図ることができる。
【実施例１】
【００４０】
図１は、実施例１にかかる撮像レンズの構成を示す光軸に沿う断面図である。この撮像レンズは、図示しない物体側から順に、第１レンズ群Ｇ11と、第２レンズ群Ｇ12と、第３レンズ群Ｇ13と、が配置されて構成される。また、第１レンズ群Ｇ11の物体側面近傍に、所定の口径を規定する開口絞りＳＴが設けられている。第３レンズ群Ｇ13と像面ＩＭＧとの間には、平行平板からなるカバーガラスＣＧが配置されている。なお、像面ＩＭＧには、ＣＣＤやＣＭＯＳなどの撮像素子の受光面が配置される。
【００４１】
第１レンズ群Ｇ11は、前記物体側から順に配置された、樹脂で形成された正の屈折力を有する第１レンズＬ111と、樹脂で形成された負の屈折力を有する第２レンズＬ112とにより構成された正の屈折力を有する接合レンズが配置されて構成されている。
【００４２】
第２レンズ群Ｇ12は、像面ＩＭＧ側に凸面を向けたメニスカス形状の負の屈折力を有するレンズＬ121が配置されて構成されている。なお、レンズＬ121は樹脂で形成されたものを用いることが好ましい。
【００４３】
第３レンズ群Ｇ13は、前記物体側に凸面を向けたメニスカス形状の正の屈折力を有するレンズＬ131が配置されて構成されている。なお、レンズＬ131は樹脂で形成されたものを用いることが好ましい。
【００４４】
また、第１レンズＬ111の物体側面、第２レンズＬ112の像面ＩＭＧ側面、レンズＬ121の両面、レンズＬ131の両面に、非球面が形成されている。
【００４５】
以下、実施例１にかかる撮像レンズに関する各種数値データを示す。
【００４６】
撮像レンズ全系の焦点距離（ｆ）＝5.85
Ｆナンバ＝2.92
撮像レンズの有効像円の直径（２Ｙ）＝7.40
第１レンズ群Ｇ11の焦点距離（ｆ1）＝4.856
第１レンズ群Ｇ11の第１レンズＬ111の焦点距離（ｆ11）＝2.802
第１レンズ群Ｇ11の第２レンズＬ112の焦点距離（ｆ12）＝-5.262
第１レンズ群Ｇ11の第１レンズＬ111のｄ線における屈折率（ｎ1）＝1.525
第１レンズ群Ｇ11の第２レンズＬ112のｄ線における屈折率（ｎ2）＝1.586
【００４７】
（条件式（１）に関する数値）
ｆ1／ｆ＝0.832
【００４８】
（条件式（２）に関する数値）
｜ｆ11／ｆ12｜＝0.532
【００４９】
（条件式（３）に関する数値）
ｎ2−ｎ1＝0.061
【００５０】
（条件式（４）に関する数値）
ＯＰ／２Ｙ＝0.87
【００５１】
ｒ1＝∞（開口絞り）
ｄ1＝0
ｒ2＝1.85380（非球面）
ｄ2＝0.871    ｎｄ1＝1.525    νｄ1＝56.2
ｒ3＝-5.98934
ｄ3＝0.41    ｎｄ2＝1.586    νｄ2＝29.9
ｒ4＝6.45573（非球面）
ｄ4＝0.756
ｒ5＝-2.08317（非球面）
ｄ5＝0.537    ｎｄ3＝1.586    νｄ3＝29.9
ｒ6＝-3.44932（非球面）
ｄ6＝0.755
ｒ7＝2.54213（非球面）
ｄ7＝1.117    ｎｄ4＝1.525    νｄ4＝56.2
ｒ8＝2.50984（非球面）
ｄ8＝0.40
ｒ9＝∞
ｄ9＝0.30    ｎｄ5＝1.524    νｄ5＝54.5
ｒ10＝∞
ｄ10＝1.278
ｒ11＝∞（像面）
【００５２】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第２面）
Ｋ＝-0.03512，
Ａ3＝0，  Ａ4＝5.707×10-3，
Ａ5＝0，  Ａ6＝-1.576×10-2，
Ａ7＝0，  Ａ8＝4.023×10-2，
Ａ9＝0，  Ａ10＝-3.229×10-2，
Ａ11＝0，  Ａ12＝-1.978×10-2，
Ａ13＝0，  Ａ14＝4.407×10-2，
Ａ15＝0，  Ａ16＝-1.788×10-2
（第４面）
Ｋ＝-1.98846，
Ａ3＝0，  Ａ4＝6.143×10-3，
Ａ5＝0，  Ａ6＝-3.557×10-2，
Ａ7＝0，  Ａ8＝7.126×10-2，
Ａ9＝0，  Ａ10＝-6.162×10-2，
Ａ11＝0，  Ａ12＝-2.354×10-2，
Ａ13＝0，  Ａ14＝5.690×10-2，
Ａ15＝0，  Ａ16＝-2.183×10-2
（第５面）
Ｋ＝0，
Ａ3＝0，  Ａ4＝-1.325×10-1，
Ａ5＝0，  Ａ6＝7.923×10-2，
Ａ7＝0，  Ａ8＝-7.465×10-2，
Ａ9＝0，  Ａ10＝4.804×10-2，
Ａ11＝0，  Ａ12＝-5.208×10-3，
Ａ13＝0，  Ａ14＝-1.306×10-2，
Ａ15＝0，  Ａ16＝3.092×10-3
（第６面）
Ｋ＝0，
Ａ3＝0，  Ａ4＝-1.557×10-1，
Ａ5＝0，  Ａ6＝1.178×10-1，
Ａ7＝0，  Ａ8＝-5.780×10-2，
Ａ9＝0，  Ａ10＝1.948×10-2，
Ａ11＝0，  Ａ12＝2.511×10-3，
Ａ13＝0，  Ａ14＝-2.547×10-3，
Ａ15＝0，  Ａ16＝3.969×10-4
（第７面）
Ｋ＝-1.21976，
Ａ3＝0，  Ａ4＝-1.407×10-1，
Ａ5＝0，  Ａ6＝3.988×10-2，
Ａ7＝0，  Ａ8＝-6.326×10-3，
Ａ9＝0，  Ａ10＝1.962×10-4，
Ａ11＝0，  Ａ12＝6.793×10-5，
Ａ13＝0，  Ａ14＝-3.047×10-6，
Ａ15＝0，  Ａ16＝-3.789×10-7
（第８面）
Ｋ＝-5.38629，
Ａ3＝0，  Ａ4＝-5.964×10-2，
Ａ5＝0，  Ａ6＝1.300×10-2，
Ａ7＝0，  Ａ8＝-1.973×10-3，
Ａ9＝0，  Ａ10＝1.070×10-4，
Ａ11＝0，  Ａ12＝1.155×10-5，
Ａ13＝0，  Ａ14＝-2.297×10-6，
Ａ15＝0，  Ａ16＝1.074×10-7
【００５３】
図２は、実施例１にかかる撮像レンズの球面収差図である。また、図３は、実施例１にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例２】
【００５４】
図４は、実施例２にかかる撮像レンズの構成を示す光軸に沿う断面図である。この撮像レンズは、図示しない物体側から順に、第１レンズ群Ｇ21と、第２レンズ群Ｇ22と、第３レンズ群Ｇ23と、が配置されて構成される。また、第１レンズ群Ｇ21の物体側面に、所定の口径を規定する開口絞りＳＴが設けられている。第３レンズ群Ｇ23と像面ＩＭＧとの間には、平行平板からなるカバーガラスＣＧが配置されている。なお、像面ＩＭＧには、ＣＣＤやＣＭＯＳなどの撮像素子の受光面が配置される。
【００５５】
第１レンズ群Ｇ21は、前記物体側から順に配置された、樹脂で形成された正の屈折力を有する第１レンズＬ211と、樹脂で形成された負の屈折力を有する第２レンズＬ212とにより構成された正の屈折力を有する接合レンズが配置されて構成されている。
【００５６】
第２レンズ群Ｇ22は、像面ＩＭＧ側に凸面を向けたメニスカス形状の負の屈折力を有するレンズＬ221が配置されて構成されている。なお、レンズＬ221は樹脂で形成されたものを用いることが好ましい。
【００５７】
第３レンズ群Ｇ23は、前記物体側に凸面を向けたメニスカス形状の正の屈折力を有するレンズＬ231が配置されて構成されている。なお、レンズＬ231は樹脂で形成されたものを用いることが好ましい。
【００５８】
また、第１レンズＬ211の物体側面、第２レンズＬ212の像面ＩＭＧ側面、レンズＬ221の両面、レンズＬ231の両面に、非球面が形成されている。
【００５９】
以下、実施例２にかかる撮像レンズに関する各種数値データを示す。
【００６０】
撮像レンズ全系の焦点距離（ｆ）＝4.78
Ｆナンバ＝2.80
撮像レンズの有効像円の直径（２Ｙ）＝6.00
第１レンズ群Ｇ21の焦点距離（ｆ1）＝3.982
第１レンズ群Ｇ21の第１レンズＬ211の焦点距離（ｆ11）＝2.707
第１レンズ群Ｇ21の第２レンズＬ212の焦点距離（ｆ12）＝-6.277
第１レンズ群Ｇ21の第１レンズＬ211のｄ線における屈折率（ｎ1）＝1.531
第１レンズ群Ｇ21の第２レンズＬ212のｄ線における屈折率（ｎ2）＝1.586
【００６１】
（条件式（１）に関する数値）
ｆ1／ｆ＝0.833
【００６２】
（条件式（２）に関する数値）
｜ｆ11／ｆ12｜＝0.431
【００６３】
（条件式（３）に関する数値）
ｎ2−ｎ1＝0.055
【００６４】
（条件式（４）に関する数値）
ＯＰ／２Ｙ＝0.88
【００６５】
ｒ1＝1.45129（非球面）
ｄ1＝0.700    ｎｄ1＝1.531    νｄ1＝56.0
ｒ2＝-129.12716
ｄ2＝0.40    ｎｄ2＝1.586    νｄ2＝29.9
ｒ3＝3.78684（非球面）
ｄ3＝0.902
ｒ4＝-1.65506（非球面）
ｄ4＝0.547    ｎｄ3＝1.586    νｄ3＝29.9
ｒ5＝-3.10199（非球面）
ｄ5＝0.394
ｒ6＝2.36455（非球面）
ｄ6＝1.125    ｎｄ4＝1.525    νｄ4＝56.2
ｒ7＝2.632（非球面）
ｄ7＝0.35
ｒ8＝∞
ｄ8＝0.30    ｎｄ5＝1.518    νｄ5＝59.0
ｒ9＝∞
ｄ9＝0.587
ｒ10＝∞（像面）
【００６６】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝-3.08725，
Ａ3＝3.518×10-3，  Ａ4＝2.082×10-1，
Ａ5＝-5.238×10-1，  Ａ6＝1.418，
Ａ7＝-2.032，  Ａ8＝1.495，
Ａ9＝-5.074×10-1，  Ａ10＝6.746×10-2，
Ａ11＝0，  Ａ12＝0，
Ａ13＝0，  Ａ14＝0，
Ａ15＝0，  Ａ16＝0
（第３面）
Ｋ＝15.11916，
Ａ3＝6.041×10-2，  Ａ4＝-2.207×10-1，
Ａ5＝5.133×10-1，  Ａ6＝-8.556×10-1，
Ａ7＝8.741×10-1，  Ａ8＝-4.108×10-1，
Ａ9＝4.996×10-5，  Ａ10＝-6.062×10-4，
Ａ11＝0，  Ａ12＝0，
Ａ13＝0，  Ａ14＝0，
Ａ15＝0，  Ａ16＝0
（第４面）
Ｋ＝1.98247，
Ａ3＝1.429×10-2，  Ａ4＝-3.072×10-1，
Ａ5＝6.895×10-1，  Ａ6＝-6.342×10-1，
Ａ7＝4.543×10-2，  Ａ8＝2.279×10-1，
Ａ9＝-2.232×10-2，  Ａ10＝-3.080×10-2，
Ａ11＝0，  Ａ12＝0，
Ａ13＝0，  Ａ14＝0，
Ａ15＝0，  Ａ16＝0
（第５面）
Ｋ＝-0.76550，
Ａ3＝-1.370×10-1，  Ａ4＝2.986×10-2，
Ａ5＝-7.069×10-2，  Ａ6＝1.170×10-1，
Ａ7＝-5.009×10-2，  Ａ8＝-3.744×10-2，
Ａ9＝5.620×10-2，  Ａ10＝-1.860×10-2，
Ａ11＝0，  Ａ12＝0，
Ａ13＝0，  Ａ14＝0，
Ａ15＝0，  Ａ16＝0
（第６面）
Ｋ＝-0.75438，
Ａ3＝-1.072×10-1，  Ａ4＝-7.419×10-2，
Ａ5＝5.708×10-2，  Ａ6＝1.344×10-3，
Ａ7＝-3.754×10-3，  Ａ8＝-9.456×10-4，
Ａ9＝1.183×10-4，  Ａ10＝7.990×10-5，
Ａ11＝0，  Ａ12＝0，
Ａ13＝0，  Ａ14＝0，
Ａ15＝0，  Ａ16＝0
（第７面）
Ｋ＝-0.15401，
Ａ3＝-3.364×10-2，  Ａ4＝-6.001×10-2，
Ａ5＝2.268×10-2，  Ａ6＝-2.223×10-3，
Ａ7＝-1.741×10-3，  Ａ8＝3.876×10-4，
Ａ9＝2.933×10-4，  Ａ10＝-1.170×10-4，
Ａ11＝0，  Ａ12＝0，
Ａ13＝0，  Ａ14＝0，
Ａ15＝0，  Ａ16＝0
【００６７】
図５は、実施例２にかかる撮像レンズの球面収差図である。また、図６は、実施例２にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例３】
【００６８】
図７は、実施例３にかかる撮像レンズの構成を示す光軸に沿う断面図である。この撮像レンズは、図示しない物体側から順に、第１レンズ群Ｇ31と、第２レンズ群Ｇ32と、第３レンズ群Ｇ33と、が配置されて構成される。また、第１レンズ群Ｇ31の物体側面に、所定の口径を規定する開口絞りＳＴが設けられている。第３レンズ群Ｇ33と像面ＩＭＧとの間には、平行平板からなるカバーガラスＣＧが配置されている。なお、像面ＩＭＧには、ＣＣＤやＣＭＯＳなどの撮像素子の受光面が配置される。
【００６９】
第１レンズ群Ｇ31は、前記物体側から順に配置された、樹脂で形成された正の屈折力を有する第１レンズＬ311と、樹脂で形成された負の屈折力を有する第２レンズＬ312とにより構成された正の屈折力を有する接合レンズが配置されて構成されている。
【００７０】
第２レンズ群Ｇ32は、像面ＩＭＧ側に凸面を向けたメニスカス形状の負の屈折力を有するレンズＬ321が配置されて構成されている。なお、レンズＬ321は樹脂で形成されたものを用いることが好ましい。
【００７１】
第３レンズ群Ｇ33は、前記物体側に凸面を向けたメニスカス形状の正の屈折力を有するレンズＬ331が配置されて構成されている。なお、レンズＬ331は樹脂で形成されたものを用いることが好ましい。
【００７２】
また、第１レンズＬ311の物体側面、第２レンズＬ312の像面ＩＭＧ側面、レンズＬ321の両面、レンズＬ331の両面に、非球面が形成されている。
【００７３】
以下、実施例３にかかる撮像レンズに関する各種数値データを示す。
【００７４】
撮像レンズ全系の焦点距離（ｆ）＝4.98
Ｆナンバ＝2.92
撮像レンズの有効像円の直径（２Ｙ）＝6.00
第１レンズ群Ｇ31の焦点距離（ｆ1）＝4.344
第１レンズ群Ｇ31の第１レンズＬ311の焦点距離（ｆ11）＝2.691
第１レンズ群Ｇ31の第２レンズＬ312の焦点距離（ｆ12）＝-5.168
第１レンズ群Ｇ31の第１レンズＬ311のｄ線における屈折率（ｎ1）＝1.531
第１レンズ群Ｇ31の第２レンズＬ312のｄ線における屈折率（ｎ2）＝1.586
【００７５】
（条件式（１）に関する数値）
ｆ1／ｆ＝0.872
【００７６】
（条件式（２）に関する数値）
｜ｆ11／ｆ12｜＝0.521
【００７７】
（条件式（３）に関する数値）
ｎ2−ｎ1＝0.055
【００７８】
（条件式（４）に関する数値）
ＯＰ／２Ｙ＝0.95
【００７９】
ｒ1＝1.58341（非球面）
ｄ1＝0.917    ｎｄ1＝1.531    νｄ1＝56.0
ｒ2＝-11.76037
ｄ2＝0.40    ｎｄ2＝1.586    νｄ2＝29.9
ｒ3＝4.125（非球面）
ｄ3＝0.836
ｒ4＝-2.47287（非球面）
ｄ4＝0.703    ｎｄ3＝1.613    νｄ3＝26.7
ｒ5＝-2.78133（非球面）
ｄ5＝0.366
ｒ6＝9.44476（非球面）
ｄ6＝1.490    ｎｄ4＝1.531    νｄ4＝56.0
ｒ7＝3.41237（非球面）
ｄ7＝0.50
ｒ8＝∞
ｄ8＝0.30    ｎｄ5＝1.518    νｄ5＝59.0
ｒ9＝∞
ｄ9＝0.205
ｒ10＝∞（像面）
【００８０】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝-4.15452，
Ａ3＝7.146×10-3，  Ａ4＝2.044×10-1，
Ａ5＝-5.316×10-1，  Ａ6＝1.420，
Ａ7＝-2.027，  Ａ8＝1.490，
Ａ9＝-5.031×10-1，  Ａ10＝5.658×10-2，
Ａ11＝0，  Ａ12＝0，
Ａ13＝0，  Ａ14＝0，
Ａ15＝0，  Ａ16＝0
（第３面）
Ｋ＝13.81959，
Ａ3＝4.732×10-2，  Ａ4＝-1.805×10-1，
Ａ5＝5.334×10-1，  Ａ6＝-8.526×10-1，
Ａ7＝8.509×10-1，  Ａ8＝-4.228×10-1，
Ａ9＝2.232×10-2，  Ａ10＝7.478×10-2，
Ａ11＝0，  Ａ12＝0，
Ａ13＝0，  Ａ14＝0，
Ａ15＝0，  Ａ16＝0
（第４面）
Ｋ＝-0.29440，
Ａ3＝-8.363×10-4，  Ａ4＝3.886×10-3，
Ａ5＝5.679×10-3，  Ａ6＝-2.671×10-3，
Ａ7＝-9.484×10-3，  Ａ8＝-8.873×10-3，
Ａ9＝-3.336×10-4，  Ａ10＝1.469×10-2，
Ａ11＝0，  Ａ12＝0，
Ａ13＝0，  Ａ14＝0，
Ａ15＝0，  Ａ16＝0
（第５面）
Ｋ＝-7.55449，
Ａ3＝-2.262×10-2，  Ａ4＝-1.388×10-3，
Ａ5＝2.063×10-3，  Ａ6＝2.306×10-3，
Ａ7＝1.829×10-3，  Ａ8＝1.122×10-3，
Ａ9＝8.136×10-4，  Ａ10＝-6.974×10-4，
Ａ11＝0，  Ａ12＝0，
Ａ13＝0，  Ａ14＝0，
Ａ15＝0，  Ａ16＝0
（第６面）
Ｋ＝-89.52190，
Ａ3＝-2.169×10-2，  Ａ4＝-9.918×10-3，
Ａ5＝1.090×10-3，  Ａ6＝1.902×10-3，
Ａ7＝7.176×10-4，  Ａ8＝3.015×10-5，
Ａ9＝-1.254×10-4，  Ａ10＝-8.045×10-5，
Ａ11＝0，  Ａ12＝0，
Ａ13＝0，  Ａ14＝0，
Ａ15＝0，  Ａ16＝0
（第７面）
Ｋ＝-18.21906，
Ａ3＝1.801×10-2，  Ａ4＝-2.269×10-2，
Ａ5＝3.054×10-3，  Ａ6＝2.179×10-4，
Ａ7＝2.059×10-5，  Ａ8＝2.019×10-5，
Ａ9＝7.572×10-6，  Ａ10＝-1.810×10-5，
Ａ11＝0，  Ａ12＝0，
Ａ13＝0，  Ａ14＝0，
Ａ15＝0，  Ａ16＝0
【００８１】
図８は、実施例３にかかる撮像レンズの球面収差図である。また、図９は、実施例３にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例４】
【００８２】
図１０は、実施例４にかかる撮像レンズの構成を示す光軸に沿う断面図である。この撮像レンズは、図示しない物体側から順に、第１レンズ群Ｇ41と、第２レンズ群Ｇ42と、第３レンズ群Ｇ43と、が配置されて構成される。また、第１レンズ群Ｇ41の物体側面に、所定の口径を規定する開口絞りＳＴが設けられている。第３レンズ群Ｇ43と像面ＩＭＧとの間には、平行平板からなるカバーガラスＣＧが配置されている。なお、像面ＩＭＧには、ＣＣＤやＣＭＯＳなどの撮像素子の受光面が配置される。
【００８３】
第１レンズ群Ｇ41は、前記物体側から順に配置された、樹脂で形成された正の屈折力を有する第１レンズＬ411と、樹脂で形成された負の屈折力を有する第２レンズＬ412とにより構成された正の屈折力を有する接合レンズが配置されて構成されている。
【００８４】
第２レンズ群Ｇ42は、像面ＩＭＧ側に凸面を向けたメニスカス形状の負の屈折力を有するレンズＬ421が配置されて構成されている。なお、レンズＬ421は樹脂で形成されたものを用いることが好ましい。
【００８５】
第３レンズ群Ｇ43は、前記物体側に凸面を向けたメニスカス形状の正の屈折力を有するレンズＬ431が配置されて構成されている。なお、レンズＬ431は樹脂で形成されたものを用いることが好ましい。
【００８６】
また、第１レンズＬ411の物体側面、第２レンズＬ412の像面ＩＭＧ側面、レンズＬ421の両面、レンズＬ431の両面に、非球面が形成されている。
【００８７】
以下、実施例４にかかる撮像レンズに関する各種数値データを示す。
【００８８】
撮像レンズ全系の焦点距離（ｆ）＝4.81
Ｆナンバ＝2.82
撮像レンズの有効像円の直径（２Ｙ）＝6.00
第１レンズ群Ｇ41の焦点距離（ｆ1）＝3.914
第１レンズ群Ｇ41の第１レンズＬ411の焦点距離（ｆ11）＝2.664
第１レンズ群Ｇ41の第２レンズＬ412の焦点距離（ｆ12）＝-6.197
第１レンズ群Ｇ41の第１レンズＬ411のｄ線における屈折率（ｎ1）＝1.531
第１レンズ群Ｇ41の第２レンズＬ412のｄ線における屈折率（ｎ2）＝1.586
【００８９】
（条件式（１）に関する数値）
ｆ1／ｆ＝0.814
【００９０】
（条件式（２）に関する数値）
｜ｆ11／ｆ12｜＝0.430
【００９１】
（条件式（３）に関する数値）
ｎ2−ｎ1＝0.055
【００９２】
（条件式（４）に関する数値）
ＯＰ／２Ｙ＝0.89
【００９３】
ｒ1＝1.43197（非球面）
ｄ1＝0.685    ｎｄ1＝1.531    νｄ1＝56.0
ｒ2＝-100
ｄ2＝0.40    ｎｄ2＝1.586    νｄ2＝29.9
ｒ3＝3.77016（非球面）
ｄ3＝0.783
ｒ4＝-1.68016（非球面）
ｄ4＝0.527    ｎｄ3＝1.614    νｄ3＝26.0
ｒ5＝-2.61490（非球面）
ｄ5＝0.439
ｒ6＝3.38180（非球面）
ｄ6＝1.209    ｎｄ4＝1.525    νｄ4＝56.2
ｒ7＝3.13425（非球面）
ｄ7＝0.35
ｒ8＝∞
ｄ8＝0.30    ｎｄ5＝1.518    νｄ5＝59.0
ｒ9＝∞
ｄ9＝0.629
ｒ10＝∞（像面）
【００９４】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝-3.03926，
Ａ3＝3.770×10-3，  Ａ4＝2.110×10-1，
Ａ5＝-5.215×10-1，  Ａ6＝1.420，
Ａ7＝-2.031，  Ａ8＝1.496，
Ａ9＝-5.070×10-1，  Ａ10＝6.780×10-2，
Ａ11＝0，  Ａ12＝0，
Ａ13＝0，  Ａ14＝0，
Ａ15＝0，  Ａ16＝0
（第３面）
Ｋ＝15.92033，
Ａ3＝6.720×10-2，  Ａ4＝-2.229×10-1，
Ａ5＝5.130×10-1，  Ａ6＝-8.541×10-1，
Ａ7＝8.759×10-1，  Ａ8＝-4.090×10-1，
Ａ9＝2.512×10-3，  Ａ10＝4.776×10-3，
Ａ11＝0，  Ａ12＝0，
Ａ13＝0，  Ａ14＝0，
Ａ15＝0，  Ａ16＝0
（第４面）
Ｋ＝1.98759，
Ａ3＝7.700×10-3，  Ａ4＝-2.905×10-1，
Ａ5＝6.869×10-1，  Ａ6＝-6.389×10-1，
Ａ7＝4.829×10-2，  Ａ8＝2.372×10-1，
Ａ9＝-1.428×10-2，  Ａ10＝-3.500×10-2，
Ａ11＝0，  Ａ12＝0，
Ａ13＝0，  Ａ14＝0，
Ａ15＝0，  Ａ16＝0
（第５面）
Ｋ＝-0.73390，
Ａ3＝-1.167×10-1，  Ａ4＝2.322×10-2，
Ａ5＝-7.073×10-2，  Ａ6＝1.177×10-1，
Ａ7＝-4.971×10-2，  Ａ8＝-3.715×10-2，
Ａ9＝5.698×10-2，  Ａ10＝-1.732×10-2，
Ａ11＝0，  Ａ12＝0，
Ａ13＝0，  Ａ14＝0，
Ａ15＝0，  Ａ16＝0
（第６面）
Ｋ＝-29.74450，
Ａ3＝-2.831×10-2，  Ａ4＝-9.452×10-2，
Ａ5＝5.242×10-2，  Ａ6＝8.713×10-3，
Ａ7＝-4.049×10-3，  Ａ8＝-3.037×10-3，
Ａ9＝1.716×10-4，  Ａ10＝3.107×10-4，
Ａ11＝0，  Ａ12＝0，
Ａ13＝0，  Ａ14＝0，
Ａ15＝0，  Ａ16＝0
（第７面）
Ｋ＝-26.75000，
Ａ3＝3.918×10-2，  Ａ4＝-5.862×10-2，
Ａ5＝-7.185×10-4，  Ａ6＝1.100×10-2，
Ａ7＝-1.442×10-3，  Ａ8＝-9.478×10-4，
Ａ9＝1.189×10-4，  Ａ10＝1.190×10-5，
Ａ11＝0，  Ａ12＝0，
Ａ13＝0，  Ａ14＝0，
Ａ15＝0，  Ａ16＝0
【００９５】
図１１は、実施例４にかかる撮像レンズの球面収差図である。また、図１２は、実施例４にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例５】
【００９６】
図１３は、実施例５にかかる撮像レンズの構成を示す光軸に沿う断面図である。この撮像レンズは、図示しない物体側から順に、第１レンズ群Ｇ51と、第２レンズ群Ｇ52と、第３レンズ群Ｇ53と、が配置されて構成される。また、第１レンズ群Ｇ51の物体側面に、所定の口径を規定する開口絞りＳＴが設けられている。第３レンズ群Ｇ53と像面ＩＭＧとの間には、平行平板からなるカバーガラスＣＧが配置されている。なお、像面ＩＭＧには、ＣＣＤやＣＭＯＳなどの撮像素子の受光面が配置される。
【００９７】
第１レンズ群Ｇ51は、前記物体側から順に配置された、樹脂で形成された正の屈折力を有する第１レンズＬ511と、樹脂で形成された負の屈折力を有する第２レンズＬ512とにより構成された正の屈折力を有する接合レンズが配置されて構成されている。
【００９８】
第２レンズ群Ｇ52は、像面ＩＭＧ側に凸面を向けたメニスカス形状の負の屈折力を有するレンズＬ521が配置されて構成されている。なお、レンズＬ521は樹脂で形成されたものを用いることが好ましい。
【００９９】
第３レンズ群Ｇ53は、前記物体側に凸面を向けたメニスカス形状の正の屈折力を有するレンズＬ531が配置されて構成されている。なお、レンズＬ531は樹脂で形成されたものを用いることが好ましい。
【０１００】
また、第１レンズＬ511の物体側面、第２レンズＬ512の像面ＩＭＧ側面、レンズＬ521の両面、レンズＬ531の両面に、非球面が形成されている。
【０１０１】
以下、実施例５にかかる撮像レンズに関する各種数値データを示す。
【０１０２】
撮像レンズ全系の焦点距離（ｆ）＝5.54
Ｆナンバ＝2.98
撮像レンズの有効像円の直径（２Ｙ）＝7.76
第１レンズ群Ｇ51の焦点距離（ｆ1）＝4.148
第１レンズ群Ｇ51の第１レンズＬ511の焦点距離（ｆ11）＝2.468
第１レンズ群Ｇ51の第２レンズＬ512の焦点距離（ｆ12）＝-5.119
第１レンズ群Ｇ51の第１レンズＬ511のｄ線における屈折率（ｎ1）＝1.525
第１レンズ群Ｇ51の第２レンズＬ512のｄ線における屈折率（ｎ2）＝1.586
【０１０３】
（条件式（１）に関する数値）
ｆ1／ｆ＝0.749
【０１０４】
（条件式（２）に関する数値）
｜ｆ11／ｆ12｜＝0.482
【０１０５】
（条件式（３）に関する数値）
ｎ2−ｎ1＝0.061
【０１０６】
（条件式（４）に関する数値）
ＯＰ／２Ｙ＝0.89
【０１０７】
ｒ1＝2.67472（非球面）
ｄ1＝1.726    ｎｄ1＝1.525    νｄ1＝56.2
ｒ2＝-1.95241
ｄ2＝0.50    ｎｄ2＝1.586    νｄ2＝29.9
ｒ3＝-6.13108（非球面）
ｄ3＝0.680
ｒ4＝-1.19695（非球面）
ｄ4＝0.500    ｎｄ3＝1.586    νｄ3＝29.9
ｒ5＝-1.85871（非球面）
ｄ5＝0.358
ｒ6＝2.94676（非球面）
ｄ6＝1.602    ｎｄ4＝1.525    νｄ4＝56.2
ｒ7＝2.39554（非球面）
ｄ7＝0.49
ｒ8＝∞
ｄ8＝0.16    ｎｄ5＝1.517    νｄ5＝64.2
ｒ9＝∞
ｄ9＝0.884
ｒ10＝∞（像面）
【０１０８】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝3.14216，
Ａ3＝-1.2089×10-2，  Ａ4＝2.7648×10-2，
Ａ5＝-8.1647×10-2，  Ａ6＝2.7650×10-2，
Ａ7＝3.4848×10-2，  Ａ8＝-1.8828×10-2，
Ａ9＝-4.0905×10-2，  Ａ10＝2.5779×10-2，
Ａ11＝0，  Ａ12＝0，
Ａ13＝0，  Ａ14＝0，
Ａ15＝0，  Ａ16＝0
（第３面）
Ｋ＝15.00753，
Ａ3＝3.7908×10-2，  Ａ4＝-6.7878×10-2，
Ａ5＝1.1743×10-2，  Ａ6＝1.3739×10-2，
Ａ7＝-5.7311×10-3，  Ａ8＝-1.4851×10-2，
Ａ9＝-6.7008×10-3，  Ａ10＝9.5792×10-3，
Ａ11＝0，  Ａ12＝0，
Ａ13＝0，  Ａ14＝0，
Ａ15＝0，  Ａ16＝0
（第４面）
Ｋ＝-0.35222，
Ａ3＝7.3512×10-2，  Ａ4＝-3.3802×10-2，
Ａ5＝-2.0897×10-3，  Ａ6＝8.0265×10-3，
Ａ7＝-1.9788×10-3，  Ａ8＝-1.2087×10-2，
Ａ9＝-3.7764×10-3，  Ａ10＝1.7200×10-2，
Ａ11＝0，  Ａ12＝0，
Ａ13＝0，  Ａ14＝0，
Ａ15＝0，  Ａ16＝0
（第５面）
Ｋ＝-0.63013，
Ａ3＝2.9468×10-2，  Ａ4＝-4.1733×10-2，
Ａ5＝-1.8359×10-2，  Ａ6＝1.4500×10-2，
Ａ7＝1.1265×10-2，  Ａ8＝3.6633×10-3，
Ａ9＝5.3822×10-4，  Ａ10＝-1.5887×10-3，
Ａ11＝0，  Ａ12＝0，
Ａ13＝0，  Ａ14＝0，
Ａ15＝0，  Ａ16＝0
（第６面）
Ｋ＝-6.17316，
Ａ3＝5.0574×10-2，  Ａ4＝-1.5384×10-1，
Ａ5＝3.8851×10-2，  Ａ6＝1.8549×10-2，
Ａ7＝-8.4243×10-4，  Ａ8＝-3.0233×10-3，
Ａ9＝-9.1872×10-4，  Ａ10＝3.9158×10-4，
Ａ11＝0，  Ａ12＝0，
Ａ13＝0，  Ａ14＝0，
Ａ15＝0，  Ａ16＝0
（第７面）
Ｋ＝-0.97556，
Ａ3＝9.7678×10-3，  Ａ4＝-6.5119×10-2，
Ａ5＝3.1257×10-3，  Ａ6＝6.0270×10-3，
Ａ7＝1.0456×10-3，  Ａ8＝-5.0459×10-4，
Ａ9＝-2.2440×10-4，  Ａ10＝5.4202×10-5，
Ａ11＝0，  Ａ12＝0，
Ａ13＝0，  Ａ14＝0，
Ａ15＝0，  Ａ16＝0
【０１０９】
図１４は、実施例５にかかる撮像レンズの球面収差図である。また、図１５は、実施例５にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例６】
【０１１０】
図１６は、実施例６にかかる撮像レンズの構成を示す光軸に沿う断面図である。この撮像レンズは、図示しない物体側から順に、第１レンズ群Ｇ61と、第２レンズ群Ｇ62と、第３レンズ群Ｇ63と、が配置されて構成される。また、第１レンズ群Ｇ61の物体側面に、所定の口径を規定する開口絞りＳＴが設けられている。第３レンズ群Ｇ63と像面ＩＭＧとの間には、平行平板からなるカバーガラスＣＧが配置されている。なお、像面ＩＭＧには、ＣＣＤやＣＭＯＳなどの撮像素子の受光面が配置される。
【０１１１】
第１レンズ群Ｇ61は、前記物体側から順に配置された、樹脂で形成された正の屈折力を有する第１レンズＬ611と、樹脂で形成された負の屈折力を有する第２レンズＬ612とにより構成された正の屈折力を有する接合レンズが配置されて構成されている。
【０１１２】
第２レンズ群Ｇ62は、像面ＩＭＧ側に凸面を向けたメニスカス形状の負の屈折力を有するレンズＬ621が配置されて構成されている。なお、レンズＬ621は樹脂で形成されたものを用いることが好ましい。
【０１１３】
第３レンズ群Ｇ63は、前記物体側に凸面を向けたメニスカス形状の正の屈折力を有するレンズＬ631が配置されて構成されている。なお、レンズＬ631は樹脂で形成されたものを用いることが好ましい。
【０１１４】
また、第１レンズＬ611の物体側面、第２レンズＬ612の像面ＩＭＧ側面、レンズＬ621の両面、レンズＬ531の両面に、非球面が形成されている。
【０１１５】
以下、実施例６にかかる撮像レンズに関する各種数値データを示す。
【０１１６】
撮像レンズ全系の焦点距離（ｆ）＝5.82
Ｆナンバ＝3.03
撮像レンズの有効像円の直径（２Ｙ）＝7.13
第１レンズ群Ｇ61の焦点距離（ｆ1）＝4.347
第１レンズ群Ｇ61の第１レンズＬ611の焦点距離（ｆ11）＝2.674
第１レンズ群Ｇ61の第２レンズＬ612の焦点距離（ｆ12）＝-5.353
第１レンズ群Ｇ61の第１レンズＬ611のｄ線における屈折率（ｎ1）＝1.525
第１レンズ群Ｇ61の第２レンズＬ612のｄ線における屈折率（ｎ2）＝1.586
【０１１７】
（条件式（１）に関する数値）
ｆ1／ｆ＝0.747
【０１１８】
（条件式（２）に関する数値）
｜ｆ11／ｆ12｜＝0.500
【０１１９】
（条件式（３）に関する数値）
ｎ2−ｎ1＝0.061
【０１２０】
（条件式（４）に関する数値）
ＯＰ／２Ｙ＝0.90
【０１２１】
ｒ1＝1.66632（非球面）
ｄ1＝0.848    ｎｄ1＝1.525    νｄ1＝56.2
ｒ2＝-7
ｄ2＝0.41    ｎｄ2＝1.586    νｄ2＝29.9
ｒ3＝5.59044（非球面）
ｄ3＝0.641
ｒ4＝-1.62924（非球面）
ｄ4＝0.585    ｎｄ3＝1.586    νｄ3＝29.9
ｒ5＝-3.15569（非球面）
ｄ5＝0.577
ｒ6＝2.72084（非球面）
ｄ6＝1.313    ｎｄ4＝1.525    νｄ4＝56.2
ｒ7＝3.18876（非球面）
ｄ7＝0.50
ｒ8＝∞
ｄ8＝0.40    ｎｄ5＝1.518    νｄ5＝59.0
ｒ9＝∞
ｄ9＝1.127
ｒ10＝∞（像面）
【０１２２】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝-3.01609，
Ａ3＝-1.0871×10-3，  Ａ4＝1.4032×10-1，
Ａ5＝-2.7001×10-1，  Ａ6＝5.9949×10-1，
Ａ7＝-7.2423×10-1，  Ａ8＝4.5980×10-1，
Ａ9＝-1.2424×10-1，  Ａ10＝5.6962×10-3，
Ａ11＝0，  Ａ12＝0，
Ａ13＝0，  Ａ14＝0，
Ａ15＝0，  Ａ16＝0
（第３面）
Ｋ＝16.67601，
Ａ3＝3.4965×10-2，  Ａ4＝-1.0709×10-1，
Ａ5＝2.1976×10-1，  Ａ6＝-3.4938×10-1，
Ａ7＝3.5735×10-1，  Ａ8＝-1.6788×10-1，
Ａ9＝2.6200×10-3，  Ａ10＝7.2397×10-3，
Ａ11＝0，  Ａ12＝0，
Ａ13＝0，  Ａ14＝0，
Ａ15＝0，  Ａ16＝0
（第４面）
Ｋ＝1.34207，
Ａ3＝-1.0281×10-2，  Ａ4＝-1.3368×10-1，
Ａ5＝3.3636×10-1，  Ａ6＝-3.1012×10-1，
Ａ7＝6.3608×10-2，  Ａ8＝1.3921×10-1，
Ａ9＝-4.2727×10-2，  Ａ10＝-1.5710×10-2，
Ａ11＝0，  Ａ12＝0，
Ａ13＝0，  Ａ14＝0，
Ａ15＝0，  Ａ16＝0
（第５面）
Ｋ＝1.95140，
Ａ3＝-6.7664×10-2，  Ａ4＝-3.6942×10-2，
Ａ5＝-1.5277×10-2，  Ａ6＝7.9071×10-2，
Ａ7＝-1.3201×10-2，  Ａ8＝-1.6839×10-2，
Ａ9＝1.1801×10-2，  Ａ10＝-1.6893×10-4，
Ａ11＝0，  Ａ12＝0，
Ａ13＝0，  Ａ14＝0，
Ａ15＝0，  Ａ16＝0
（第６面）
Ｋ＝-7.53571，
Ａ3＝-3.1177×10-2，  Ａ4＝-9.1640×10-2，
Ａ5＝2.4116×10-2，  Ａ6＝2.0426×10-2，
Ａ7＝-5.7047×10-3，  Ａ8＝-2.7220×10-3，
Ａ9＝1.4993×10-4，  Ａ10＝2.2020×10-4，
Ａ11＝5.1933×10-5，  Ａ12＝-2.2015×10-7，
Ａ13＝0，  Ａ14＝0，
Ａ15＝0，  Ａ16＝0
（第７面）
Ｋ＝-8.21118，
Ａ3＝-6.8201×10-3，  Ａ4＝-5.2624×10-2，
Ａ5＝1.4082×10-2，  Ａ6＝3.3509×10-3，
Ａ7＝-1.5835×10-3，  Ａ8＝-3.9331×10-4，
Ａ9＝1.5916×10-4，  Ａ10＝-1.9994×10-5，
Ａ11＝7.4056×10-6，  Ａ12＝-1.8077×10-6，
Ａ13＝0，  Ａ14＝0，
Ａ15＝0，  Ａ16＝0
【０１２３】
図１７は、実施例６にかかる撮像レンズの球面収差図である。また、図１８は、実施例６にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例７】
【０１２４】
図１９は、実施例７にかかる撮像レンズの構成を示す光軸に沿う断面図である。この撮像レンズは、図示しない物体側から順に、第１レンズ群Ｇ71と、第２レンズ群Ｇ72と、第３レンズ群Ｇ73と、が配置されて構成される。また、第１レンズ群Ｇ71の物体側面に、所定の口径を規定する開口絞りＳＴが設けられている。第３レンズ群Ｇ73と像面ＩＭＧとの間には、平行平板からなるカバーガラスＣＧが配置されている。なお、像面ＩＭＧには、ＣＣＤやＣＭＯＳなどの撮像素子の受光面が配置される。
【０１２５】
第１レンズ群Ｇ71は、前記物体側から順に配置された、樹脂で形成された正の屈折力を有する第１レンズＬ711と、樹脂で形成された負の屈折力を有する第２レンズＬ712とにより構成された正の屈折力を有する接合レンズが配置されて構成されている。
【０１２６】
第２レンズ群Ｇ72は、像面ＩＭＧ側に凸面を向けたメニスカス形状の負の屈折力を有するレンズＬ721が配置されて構成されている。なお、レンズＬ721は樹脂で形成されたものを用いることが好ましい。
【０１２７】
第３レンズ群Ｇ73は、前記物体側に凸面を向けたメニスカス形状の正の屈折力を有するレンズＬ731が配置されて構成されている。なお、レンズＬ731は樹脂で形成されたものを用いることが好ましい。
【０１２８】
また、第１レンズＬ711の物体側面、第２レンズＬ712の像面ＩＭＧ側面、レンズＬ721の両面、レンズＬ731の両面に、非球面が形成されている。
【０１２９】
以下、実施例７にかかる撮像レンズに関する各種数値データを示す。
【０１３０】
撮像レンズ全系の焦点距離（ｆ）＝5.55
Ｆナンバ＝2.93
撮像レンズの有効像円の直径（２Ｙ）＝7.76
第１レンズ群Ｇ71の焦点距離（ｆ1）＝4.148
第１レンズ群Ｇ71の第１レンズＬ711の焦点距離（ｆ11）＝2.478
第１レンズ群Ｇ71の第２レンズＬ712の焦点距離（ｆ12）＝-5.552
第１レンズ群Ｇ71の第１レンズＬ711のｄ線における屈折率（ｎ1）＝1.525
第１レンズ群Ｇ71の第２レンズＬ712のｄ線における屈折率（ｎ2）＝1.586
【０１３１】
（条件式（１）に関する数値）
ｆ1／ｆ＝0.748
【０１３２】
（条件式（２）に関する数値）
｜ｆ11／ｆ12｜＝0.446
【０１３３】
（条件式（３）に関する数値）
ｎ2−ｎ1＝0.061
【０１３４】
（条件式（４）に関する数値）
ＯＰ／２Ｙ＝0.93
【０１３５】
ｒ1＝2.65490（非球面）
ｄ1＝1.597    ｎｄ1＝1.525    νｄ1＝56.2
ｒ2＝-2.02053
ｄ2＝0.81    ｎｄ2＝1.586    νｄ2＝29.9
ｒ3＝-6.12879（非球面）
ｄ3＝0.624
ｒ4＝-1.18289（非球面）
ｄ4＝0.728    ｎｄ3＝1.586    νｄ3＝29.9
ｒ5＝-1.82113（非球面）
ｄ5＝0.243
ｒ6＝2.9694（非球面）
ｄ6＝1.537    ｎｄ4＝1.525    νｄ4＝56.2
ｒ7＝2.36034（非球面）
ｄ7＝0.49
ｒ8＝∞
ｄ8＝0.16    ｎｄ5＝1.517    νｄ5＝64.2
ｒ9＝∞
ｄ9＝1.001
ｒ10＝∞（像面）
【０１３６】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝3.14560，
Ａ3＝-1.1554×10-2，  Ａ4＝2.7909×10-2，
Ａ5＝-8.1322×10-2，  Ａ6＝2.7960×10-2，
Ａ7＝3.5069×10-2，  Ａ8＝-1.8760×10-2，
Ａ9＝-4.1040×10-2，  Ａ10＝2.5394×10-2，
Ａ11＝0，  Ａ12＝0，
Ａ13＝0，  Ａ14＝0，
Ａ15＝0，  Ａ16＝0
（第３面）
Ｋ＝15.37508，
Ａ3＝3.8243×10-2，  Ａ4＝-6.8852×10-2，
Ａ5＝1.2500×10-2，  Ａ6＝1.3566×10-2，
Ａ7＝-6.0729×10-3，  Ａ8＝-1.5126×10-2，
Ａ9＝-6.8507×10-3，  Ａ10＝9.5490×10-3，
Ａ11＝0，  Ａ12＝0，
Ａ13＝0，  Ａ14＝0，
Ａ15＝0，  Ａ16＝0
（第４面）
Ｋ＝-0.33783，
Ａ3＝6.7024×10-2，  Ａ4＝-3.7942×10-2，
Ａ5＝-3.1040×10-3，  Ａ6＝8.3810×10-3，
Ａ7＝-2.2691×10-4，  Ａ8＝-1.1090×10-2，
Ａ9＝-3.3813×10-3，  Ａ10＝1.7174×10-2，
Ａ11＝0，  Ａ12＝0，
Ａ13＝0，  Ａ14＝0，
Ａ15＝0，  Ａ16＝0
（第５面）
Ｋ＝-0.56503，
Ａ3＝2.7997×10-2，  Ａ4＝-4.2903×10-2，
Ａ5＝-1.8395×10-2，  Ａ6＝1.3989×10-2，
Ａ7＝1.0886×10-2，  Ａ8＝3.4923×10-3，
Ａ9＝5.1587×10-4，  Ａ10＝-1.5298×10-3，
Ａ11＝0，  Ａ12＝0，
Ａ13＝0，  Ａ14＝0，
Ａ15＝0，  Ａ16＝0
（第６面）
Ｋ＝-5.82771，
Ａ3＝5.4742×10-2，  Ａ4＝-1.5264×10-1，
Ａ5＝3.9188×10-2，  Ａ6＝1.8601×10-2，
Ａ7＝-6.4017×10-4，  Ａ8＝-3.0013×10-3，
Ａ9＝-9.0033×10-4，  Ａ10＝4.6109×10-4，
Ａ11＝0，  Ａ12＝0，
Ａ13＝0，  Ａ14＝0，
Ａ15＝0，  Ａ16＝0
（第７面）
Ｋ＝-1.00965，
Ａ3＝1.0458×10-2，  Ａ4＝-6.5312×10-2，
Ａ5＝2.9784×10-3，  Ａ6＝6.0879×10-3，
Ａ7＝1.1105×10-3，  Ａ8＝-4.9924×10-4，
Ａ9＝-2.2353×10-4，  Ａ10＝5.4487×10-5，
Ａ11＝0，  Ａ12＝0，
Ａ13＝0，  Ａ14＝0，
Ａ15＝0，  Ａ16＝0
【０１３７】
図２０は、実施例７にかかる撮像レンズの球面収差図である。また、図２１は、実施例７にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例８】
【０１３８】
図２２は、実施例８にかかる撮像レンズの構成を示す光軸に沿う断面図である。この撮像レンズは、図示しない物体側から順に、第１レンズ群Ｇ81と、第２レンズ群Ｇ82と、第３レンズ群Ｇ83と、が配置されて構成される。また、第１レンズ群Ｇ81と第２レンズ群Ｇ82との間に、所定の口径を規定する開口絞りＳＴが配置されている。第３レンズ群Ｇ83と像面ＩＭＧとの間には、平行平板からなるカバーガラスＣＧが配置されている。なお、像面ＩＭＧには、ＣＣＤやＣＭＯＳなどの撮像素子の受光面が配置される。
【０１３９】
第１レンズ群Ｇ81は、前記物体側から順に配置された、樹脂で形成された正の屈折力を有する第１レンズＬ811と、樹脂で形成された負の屈折力を有する第２レンズＬ812とにより構成された正の屈折力を有する接合レンズが配置されて構成されている。
【０１４０】
第２レンズ群Ｇ82は、像面ＩＭＧ側に凸面を向けたメニスカス形状の負の屈折力を有するレンズＬ821が配置されて構成されている。なお、レンズＬ821は樹脂で形成されたものを用いることが好ましい。
【０１４１】
第３レンズ群Ｇ83は、前記物体側に凸面を向けたメニスカス形状の正の屈折力を有するレンズＬ831が配置されて構成されている。なお、レンズＬ831は樹脂で形成されたものを用いることが好ましい。
【０１４２】
また、第１レンズＬ811の物体側面、第２レンズＬ812の像面ＩＭＧ側面、レンズＬ821の両面、レンズＬ831の両面に、非球面が形成されている。
【０１４３】
以下、実施例８にかかる撮像レンズに関する各種数値データを示す。
【０１４４】
撮像レンズ全系の焦点距離（ｆ）＝5.86
Ｆナンバ＝2.81
撮像レンズの有効像円の直径（２Ｙ）＝6.00
第１レンズ群Ｇ81の焦点距離（ｆ1）＝4.107
第１レンズ群Ｇ81の第１レンズＬ811の焦点距離（ｆ11）＝2.642
第１レンズ群Ｇ81の第２レンズＬ812の焦点距離（ｆ12）＝-5.230
第１レンズ群Ｇ81の第１レンズＬ811のｄ線における屈折率（ｎ1）＝1.531
第１レンズ群Ｇ81の第２レンズＬ812のｄ線における屈折率（ｎ2）＝1.585
【０１４５】
（条件式（１）に関する数値）
ｆ1／ｆ＝0.701
【０１４６】
（条件式（２）に関する数値）
｜ｆ11／ｆ12｜＝0.505
【０１４７】
（条件式（３）に関する数値）
ｎ2−ｎ1＝0.054
【０１４８】
（条件式（４）に関する数値）
ＯＰ／２Ｙ＝1.05
【０１４９】
ｒ1＝1.52386（非球面）
ｄ1＝0.886    ｎｄ1＝1.531    νｄ1＝56.0
ｒ2＝-14.19258
ｄ2＝0.500    ｎｄ2＝1.585    νｄ2＝29.9
ｒ3＝3.95553（非球面）
ｄ3＝0.150
ｒ4＝∞（開口絞り）
ｄ4＝0.603
ｒ5＝-1.52883（非球面）
ｄ5＝1.032    ｎｄ3＝1.585    νｄ3＝29.9
ｒ6＝-3.54490（非球面）
ｄ6＝0.431
ｒ7＝2.81042（非球面）
ｄ7＝0.688    ｎｄ4＝1.531    νｄ4＝56.0
ｒ8＝4.75007（非球面）
ｄ8＝0.350
ｒ9＝∞
ｄ9＝0.300    ｎｄ5＝1.518    νｄ5＝59.0
ｒ10＝∞
ｄ10＝1.360
ｒ11＝∞（像面）
【０１５０】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝0.03011，
Ａ3＝-7.681×10-4，  Ａ4＝-1.451×10-2，
Ａ5＝5.480×10-2，  Ａ6＝-6.288×10-2，
Ａ7＝-3.507×10-3，  Ａ8＝4.884×10-2，
Ａ9＝-1.041×10-2，  Ａ10＝-2.584×10-2，
Ａ11＝1.717×10-2，  Ａ12＝-3.166×10-3，
Ａ13＝0，  Ａ14＝0，
Ａ15＝0，  Ａ16＝0
（第３面）
Ｋ＝-262.41070，
Ａ3＝7.066×10-2，  Ａ4＝2.098×10-1，
Ａ5＝-3.580×10-1，  Ａ6＝2.568×10-1，
Ａ7＝-1.781×10-1，  Ａ8＝-1.174×10-1，
Ａ9＝4.417×10-1，  Ａ10＝1.513×10-1，
Ａ11＝-8.188×10-1，  Ａ12＝4.381×10-1，
Ａ13＝0，  Ａ14＝0，
Ａ15＝0，  Ａ16＝0
（第５面）
Ｋ＝-0.20458，
Ａ3＝1.337×10-1，  Ａ4＝-1.109，
Ａ5＝3.526，  Ａ6＝-5.780，
Ａ7＝2.158，  Ａ8＝4.642，
Ａ9＝-2.161，  Ａ10＝-7.334，
Ａ11＝8.225，  Ａ12＝-2.568，
Ａ13＝0，  Ａ14＝0，
Ａ15＝0，  Ａ16＝0
（第６面）
Ｋ＝0，
Ａ3＝-3.131×10-3，  Ａ4＝-1.152×10-1，
Ａ5＝2.164×10-2，  Ａ6＝5.931×10-2，
Ａ7＝-2.705×10-2，  Ａ8＝-3.450×10-2，
Ａ9＝6.309×10-2，  Ａ10＝-3.952×10-2，
Ａ11＝1.001×10-2，  Ａ12＝-3.290×10-4，
Ａ13＝0，  Ａ14＝0，
Ａ15＝0，  Ａ16＝0
（第７面）
Ｋ＝-5.66349，
Ａ3＝-1.143×10-2，  Ａ4＝-1.070×10-1，
Ａ5＝3.556×10-2，  Ａ6＝-3.155×10-2，
Ａ7＝2.765×10-2，  Ａ8＝3.026×10-3，
Ａ9＝-5.272×10-3，  Ａ10＝-2.099×10-3，
Ａ11＝1.982×10-3，  Ａ12＝-3.464×10-4，
Ａ13＝0，  Ａ14＝0，
Ａ15＝0，  Ａ16＝0
（第８面）
Ｋ＝0，
Ａ3＝1.309×10-2，  Ａ4＝-6.080×10-2，
Ａ5＝-4.342×10-2，  Ａ6＝4.041×10-2，
Ａ7＝-5.412×10-3，  Ａ8＝-4.385×10-3，
Ａ9＝1.446×10-3，  Ａ10＝8.783×10-4，
Ａ11＝-7.679×10-4，  Ａ12＝1.669×10-4，
Ａ13＝0，  Ａ14＝0，
Ａ15＝0，  Ａ16＝0
【０１５１】
図２３は、実施例８にかかる撮像レンズの球面収差図である。また、図２４は、実施例８にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例９】
【０１５２】
図２５は、実施例９にかかる撮像レンズの構成を示す光軸に沿う断面図である。この撮像レンズは、図示しない物体側から順に、第１レンズ群Ｇ91と、第２レンズ群Ｇ92と、第３レンズ群Ｇ93と、が配置されて構成される。また、第１レンズ群Ｇ91と第２レンズ群Ｇ92との間に、所定の口径を規定する開口絞りＳＴが配置されている。第３レンズ群Ｇ93と像面ＩＭＧとの間には、平行平板からなるカバーガラスＣＧが配置されている。なお、像面ＩＭＧには、ＣＣＤやＣＭＯＳなどの撮像素子の受光面が配置される。
【０１５３】
第１レンズ群Ｇ91は、前記物体側から順に配置された、樹脂で形成された正の屈折力を有する第１レンズＬ911と、樹脂で形成された負の屈折力を有する第２レンズＬ912とにより構成された正の屈折力を有する接合レンズが配置されて構成されている。
【０１５４】
第２レンズ群Ｇ92は、像面ＩＭＧ側に凸面を向けたメニスカス形状の負の屈折力を有するレンズＬ921が配置されて構成されている。なお、レンズＬ921は樹脂で形成されたものを用いることが好ましい。
【０１５５】
第３レンズ群Ｇ93は、前記物体側に凸面を向けたメニスカス形状の正の屈折力を有するレンズＬ931が配置されて構成されている。なお、レンズＬ931は樹脂で形成されたものを用いることが好ましい。
【０１５６】
また、第１レンズＬ911の物体側面、第２レンズＬ912の像面ＩＭＧ側面、レンズＬ921の両面、レンズＬ931の両面に、非球面が形成されている。
【０１５７】
以下、実施例９にかかる撮像レンズに関する各種数値データを示す。
【０１５８】
撮像レンズ全系の焦点距離（ｆ）＝5.83
Ｆナンバ＝2.85
撮像レンズの有効像円の直径（２Ｙ）＝6.00
第１レンズ群Ｇ91の焦点距離（ｆ1）＝4.096
第１レンズ群Ｇ91の第１レンズＬ911の焦点距離（ｆ11）＝2.721
第１レンズ群Ｇ91の第２レンズＬ912の焦点距離（ｆ12）＝-5.861
第１レンズ群Ｇ91の第１レンズＬ911のｄ線における屈折率（ｎ1）＝1.531
第１レンズ群Ｇ91の第２レンズＬ912のｄ線における屈折率（ｎ2）＝1.614
【０１５９】
（条件式（１）に関する数値）
ｆ1／ｆ＝0.703
【０１６０】
（条件式（２）に関する数値）
｜ｆ11／ｆ12｜＝0.464
【０１６１】
（条件式（３）に関する数値）
ｎ2−ｎ1＝0.083
【０１６２】
（条件式（４）に関する数値）
ＯＰ／２Ｙ＝1.04
【０１６３】
ｒ1＝1.59179（非球面）
ｄ1＝0.902    ｎｄ1＝1.531    νｄ1＝56.0
ｒ2＝-12.61783
ｄ2＝0.500    ｎｄ2＝1.614    νｄ2＝26.0
ｒ3＝5.11334（非球面）
ｄ3＝0.150
ｒ4＝∞（開口絞り）
ｄ4＝0.672
ｒ5＝-1.38250（非球面）
ｄ5＝0.820    ｎｄ3＝1.585    νｄ3＝29.9
ｒ6＝-3.53554（非球面）
ｄ6＝0.452
ｒ7＝2.28927（非球面）
ｄ7＝0.713    ｎｄ4＝1.531    νｄ4＝56.0
ｒ8＝4.30289（非球面）
ｄ8＝0.350
ｒ9＝∞
ｄ9＝0.300    ｎｄ5＝1.518    νｄ5＝59.0
ｒ10＝∞
ｄ10＝1.404
ｒ11＝∞（像面）
【０１６４】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝-0.38370，
Ａ3＝3.924×10-3，  Ａ4＝-1.678×10-2，
Ａ5＝7.203×10-2，  Ａ6＝-6.170×10-2，
Ａ7＝-1.017×10-2，  Ａ8＝4.598×10-2，
Ａ9＝-8.564×10-3，  Ａ10＝-2.197×10-2，
Ａ11＝1.924×10-2，  Ａ12＝-6.001×10-3，
Ａ13＝0，  Ａ14＝0，
Ａ15＝0，  Ａ16＝0
（第３面）
Ｋ＝-520.91900，
Ａ3＝5.803×10-2，  Ａ4＝2.017×10-1，
Ａ5＝-4.002×10-1，  Ａ6＝2.411×10-1，
Ａ7＝-1.650×10-1，  Ａ8＝-3.943×10-2，
Ａ9＝4.816×10-1，  Ａ10＝8.477×10-2，
Ａ11＝-9.535×10-1，  Ａ12＝5.218×10-1，
Ａ13＝0，  Ａ14＝0，
Ａ15＝0，  Ａ16＝0
（第５面）
Ｋ＝-0.29894，
Ａ3＝1.182×10-1，  Ａ4＝-1.111，
Ａ5＝3.518，  Ａ6＝-5.817，
Ａ7＝2.154，  Ａ8＝4.737，
Ａ9＝-2.082，  Ａ10＝-7.431，
Ａ11＝7.955，  Ａ12＝-2.334，
Ａ13＝0，  Ａ14＝0，
Ａ15＝0，  Ａ16＝0
（第６面）
Ｋ＝0，
Ａ3＝-1.581×10-2，  Ａ4＝-1.386×10-1，
Ａ5＝2.287×10-2，  Ａ6＝7.495×10-2，
Ａ7＝-2.241×10-2，  Ａ8＝-3.733×10-2，
Ａ9＝6.006×10-2，  Ａ10＝-3.983×10-2，
Ａ11＝1.229×10-2，  Ａ12＝-9.645×10-4，
Ａ13＝0，  Ａ14＝0，
Ａ15＝0，  Ａ16＝0
（第７面）
Ｋ＝-4.88849，
Ａ3＝-1.284×10-2，  Ａ4＝-1.053×10-1，
Ａ5＝3.798×10-2，  Ａ6＝-2.990×10-2，
Ａ7＝2.833×10-2，  Ａ8＝3.006×10-3，
Ａ9＝-5.488×10-3，  Ａ10＝-2.247×10-3，
Ａ11＝1.945×10-3，  Ａ12＝-3.121×10-4，
Ａ13＝0，  Ａ14＝0，
Ａ15＝0，  Ａ16＝0
（第８面）
Ｋ＝0，
Ａ3＝1.263×10-2，  Ａ4＝-5.937×10-2，
Ａ5＝-4.202×10-2，  Ａ6＝4.038×10-2，
Ａ7＝-5.795×10-3，  Ａ8＝-4.555×10-3，
Ａ9＝1.535×10-3，  Ａ10＝1.003×10-3，
Ａ11＝-7.272×10-4，  Ａ12＝1.272×10-4，
Ａ13＝0，  Ａ14＝0，
Ａ15＝0，  Ａ16＝0
【０１６５】
図２６は、実施例９にかかる撮像レンズの球面収差図である。また、図２７は、実施例９にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例１０】
【０１６６】
図２８は、実施例１０にかかる撮像レンズの構成を示す光軸に沿う断面図である。この撮像レンズは、図示しない物体側から順に、第１レンズ群Ｇ101と、第２レンズ群Ｇ102と、第３レンズ群Ｇ103と、が配置されて構成される。また、第１レンズ群Ｇ101と第２レンズ群Ｇ102との間に、所定の口径を規定する開口絞りＳＴが配置されている。第３レンズ群Ｇ103と像面ＩＭＧとの間には、平行平板からなるカバーガラスＣＧが配置されている。なお、像面ＩＭＧには、ＣＣＤやＣＭＯＳなどの撮像素子の受光面が配置される。
【０１６７】
第１レンズ群Ｇ101は、前記物体側から順に配置された、樹脂で形成された正の屈折力を有する第１レンズＬ1011と、樹脂で形成された負の屈折力を有する第２レンズＬ1012とにより構成された正の屈折力を有する接合レンズが配置されて構成されている。
【０１６８】
第２レンズ群Ｇ102は、像面ＩＭＧ側に凸面を向けたメニスカス形状の負の屈折力を有するレンズＬ1021が配置されて構成されている。なお、レンズＬ1021は樹脂で形成されたものを用いることが好ましい。
【０１６９】
第３レンズ群Ｇ103は、前記物体側に凸面を向けたメニスカス形状の正の屈折力を有するレンズＬ1031が配置されて構成されている。なお、レンズＬ1031は樹脂で形成されたものを用いることが好ましい。
【０１７０】
また、第１レンズＬ1011の物体側面、第２レンズＬ1012の像面ＩＭＧ側面、レンズＬ1021の両面、レンズＬ1031の両面に、非球面が形成されている。
【０１７１】
以下、実施例１０にかかる撮像レンズに関する各種数値データを示す。
【０１７２】
撮像レンズ全系の焦点距離（ｆ）＝5.85
Ｆナンバ＝2.77
撮像レンズの有効像円の直径（２Ｙ）＝6.00
第１レンズ群Ｇ101の焦点距離（ｆ1）＝4.052
第１レンズ群Ｇ101の第１レンズＬ1011の焦点距離（ｆ11）＝2.619
第１レンズ群Ｇ101の第２レンズＬ1012の焦点距離（ｆ12）＝-5.260
第１レンズ群Ｇ101の第１レンズＬ1011のｄ線における屈折率（ｎ1）＝1.525
第１レンズ群Ｇ101の第２レンズＬ1012のｄ線における屈折率（ｎ2）＝1.614
【０１７３】
（条件式（１）に関する数値）
ｆ1／ｆ＝0.693
【０１７４】
（条件式（２）に関する数値）
｜ｆ11／ｆ12｜＝0.498
【０１７５】
（条件式（３）に関する数値）
ｎ2−ｎ1＝0.090
【０１７６】
（条件式（４）に関する数値）
ＯＰ／２Ｙ＝1.02
【０１７７】
ｒ1＝1.50641（非球面）
ｄ1＝0.891    ｎｄ1＝1.525    νｄ1＝56.2
ｒ2＝-12.47284
ｄ2＝0.500    ｎｄ2＝1.614    νｄ2＝26.0
ｒ3＝4.42756（非球面）
ｄ3＝0.115
ｒ4＝∞（開口絞り）
ｄ4＝0.812
ｒ5＝-1.45975（非球面）
ｄ5＝0.800    ｎｄ3＝1.585    νｄ3＝29.9
ｒ6＝-3.55180（非球面）
ｄ6＝0.326
ｒ7＝4.13906（非球面）
ｄ7＝1.004    ｎｄ4＝1.525    νｄ4＝56.2
ｒ8＝13.09039（非球面）
ｄ8＝0.350
ｒ9＝∞
ｄ9＝0.300    ｎｄ5＝1.518    νｄ5＝59.0
ｒ10＝∞
ｄ10＝1.017
ｒ11＝∞（像面）
【０１７８】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝0.03232，
Ａ3＝-1.366×10-2，  Ａ4＝9.175×10-3，
Ａ5＝-3.269×10-3，  Ａ6＝-3.712×10-3，
Ａ7＝-2.665×10-4，  Ａ8＝9.958×10-4，
Ａ9＝1.409×10-4，  Ａ10＝-3.944×10-4，
Ａ11＝-3.339×10-4，  Ａ12＝-2.466×10-4，
Ａ13＝-1.169×10-4，  Ａ14＝-5.159×10-5，
Ａ15＝0，  Ａ16＝0
（第３面）
Ｋ＝4.32446，
Ａ3＝-1.857×10-2，  Ａ4＝-4.372×10-3，
Ａ5＝2.865×10-2，  Ａ6＝2.531×10-2，
Ａ7＝4.069×10-3，  Ａ8＝-2.507×10-2，
Ａ9＝-4.423×10-2，  Ａ10＝-1.167×10-1，
Ａ11＝-2.360×10-2，  Ａ12＝8.326×10-2，
Ａ13＝6.333×10-2，  Ａ14＝1.093×10-1，
Ａ15＝0，  Ａ16＝0
（第５面）
Ｋ＝0.08789，
Ａ3＝-4.653×10-2，  Ａ4＝1.952×10-3，
Ａ5＝-5.207×10-2，  Ａ6＝-1.423×10-1，
Ａ7＝-4.992×10-2，  Ａ8＝-3.308×10-2，
Ａ9＝5.644×10-2，  Ａ10＝9.454×10-2，
Ａ11＝7.390×10-2，  Ａ12＝2.442×10-2，
Ａ13＝-8.387×10-2，  Ａ14＝-1.935×10-1，
Ａ15＝0，  Ａ16＝0
（第６面）
Ｋ＝1.38948，
Ａ3＝-6.625×10-2，  Ａ4＝-3.120×10-2，
Ａ5＝5.154×10-3，  Ａ6＝-2.099×10-2，
Ａ7＝5.391×10-3，  Ａ8＝7.214×10-3，
Ａ9＝1.780×10-3，  Ａ10＝1.782×10-3，
Ａ11＝-6.889×10-4，  Ａ12＝-6.510×10-4，
Ａ13＝5.390×10-4，  Ａ14＝4.584×10-6，
Ａ15＝0，  Ａ16＝0
（第７面）
Ｋ＝-87.06180，
Ａ3＝5.566×10-3，  Ａ4＝-3.329×10-2，
Ａ5＝-5.018×10-3，  Ａ6＝-6.864×10-3，
Ａ7＝1.668×10-3，  Ａ8＝2.155×10-3，
Ａ9＝1.203×10-3，  Ａ10＝1.028×10-3，
Ａ11＝-4.414×10-4，  Ａ12＝-3.270×10-4，
Ａ13＝-1.650×10-4，  Ａ14＝1.142×10-4，
Ａ15＝0，  Ａ16＝0
（第８面）
Ｋ＝5.33682，
Ａ3＝-9.203×10-3，  Ａ4＝-1.216×10-2，
Ａ5＝-5.377×10-3，  Ａ6＝-8.844×10-4，
Ａ7＝-1.390×10-4，  Ａ8＝-1.337×10-4，
Ａ9＝1.498×10-4，  Ａ10＝-1.670×10-5，
Ａ11＝2.596×10-5，  Ａ12＝1.394×10-5，
Ａ13＝-4.734×10-6，  Ａ14＝-3.371×10-6，
Ａ15＝0，  Ａ16＝0
【０１７９】
図２９は、実施例１０にかかる撮像レンズの球面収差図である。また、図３０は、実施例１０にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【実施例１１】
【０１８０】
図３１は、実施例１１にかかる撮像レンズの構成を示す光軸に沿う断面図である。この撮像レンズは、図示しない物体側から順に、第１レンズ群Ｇ111と、第２レンズ群Ｇ112と、第３レンズ群Ｇ113と、が配置されて構成される。また、第１レンズ群Ｇ111と第２レンズ群Ｇ112との間に、所定の口径を規定する開口絞りＳＴが配置されている。第３レンズ群Ｇ113と像面ＩＭＧとの間には、平行平板からなるカバーガラスＣＧが配置されている。なお、像面ＩＭＧには、ＣＣＤやＣＭＯＳなどの撮像素子の受光面が配置される。
【０１８１】
第１レンズ群Ｇ111は、前記物体側から順に配置された、樹脂で形成された正の屈折力を有する第１レンズＬ1111と、樹脂で形成された負の屈折力を有する第２レンズＬ1112とにより構成された正の屈折力を有する接合レンズが配置されて構成されている。
【０１８２】
第２レンズ群Ｇ112は、像面ＩＭＧ側に凸面を向けたメニスカス形状の負の屈折力を有するレンズＬ1121が配置されて構成されている。なお、レンズＬ1121は樹脂で形成されたものを用いることが好ましい。
【０１８３】
第３レンズ群Ｇ113は、前記物体側に凸面を向けたメニスカス形状の正の屈折力を有するレンズＬ1131が配置されて構成されている。なお、レンズＬ1131は樹脂で形成されたものを用いることが好ましい。
【０１８４】
また、第１レンズＬ1111の物体側面、第２レンズＬ1112の像面ＩＭＧ側面、レンズＬ1121の両面、レンズＬ1131の両面に、非球面が形成されている。
【０１８５】
以下、実施例１１にかかる撮像レンズに関する各種数値データを示す。
【０１８６】
撮像レンズ全系の焦点距離（ｆ）＝5.92
Ｆナンバ＝2.84
撮像レンズの有効像円の直径（２Ｙ）＝6.00
第１レンズ群Ｇ111の焦点距離（ｆ1）＝4.053
第１レンズ群Ｇ111の第１レンズＬ1111の焦点距離（ｆ11）＝2.449
第１レンズ群Ｇ111の第２レンズＬ1112の焦点距離（ｆ12）＝-4.504
第１レンズ群Ｇ111の第１レンズＬ1111のｄ線における屈折率（ｎ1）＝1.525
第１レンズ群Ｇ111の第２レンズＬ1112のｄ線における屈折率（ｎ2）＝1.585
【０１８７】
（条件式（１）に関する数値）
ｆ1／ｆ＝0.685
【０１８８】
（条件式（２）に関する数値）
｜ｆ11／ｆ12｜＝0.544
【０１８９】
（条件式（３）に関する数値）
ｎ2−ｎ1＝0.061
【０１９０】
（条件式（４）に関する数値）
ＯＰ／２Ｙ＝1.03
【０１９１】
ｒ1＝1.49735（非球面）
ｄ1＝0.834    ｎｄ1＝1.525    νｄ1＝56.2
ｒ2＝-7.32267
ｄ2＝0.500    ｎｄ2＝1.585    νｄ2＝29.9
ｒ3＝4.22544（非球面）
ｄ3＝0.119
ｒ4＝∞（開口絞り）
ｄ4＝0.817
ｒ5＝-1.45112（非球面）
ｄ5＝0.808    ｎｄ3＝1.585    νｄ3＝29.9
ｒ6＝-3.70243（非球面）
ｄ6＝0.322
ｒ7＝3.96134（非球面）
ｄ7＝1.005    ｎｄ4＝1.525    νｄ4＝56.2
ｒ8＝13.50798（非球面）
ｄ8＝0.350
ｒ9＝∞
ｄ9＝0.300    ｎｄ5＝1.518    νｄ5＝59.0
ｒ10＝∞
ｄ10＝1.112
ｒ11＝∞（像面）
【０１９２】
円錐係数（Ｋ）および非球面係数（Ａ3，Ａ4，Ａ5，Ａ6，Ａ7，Ａ8，Ａ9，Ａ10，Ａ11，Ａ12，Ａ13，Ａ14，Ａ15，Ａ16）
（第１面）
Ｋ＝0.03987，
Ａ3＝-1.353×10-2，  Ａ4＝8.776×10-3，
Ａ5＝-2.661×10-3，  Ａ6＝-3.527×10-3，
Ａ7＝-2.619×10-4，  Ａ8＝9.324×10-4，
Ａ9＝4.457×10-5，  Ａ10＝-4.966×10-4，
Ａ11＝-4.100×10-4，  Ａ12＝-2.826×10-4，
Ａ13＝-1.023×10-4，  Ａ14＝6.865×10-6，
Ａ15＝0，  Ａ16＝0
（第３面）
Ｋ＝3.80487，
Ａ3＝-1.857×10-2，  Ａ4＝-4.372×10-3，
Ａ5＝2.865×10-2，  Ａ6＝2.531×10-2，
Ａ7＝4.069×10-3，  Ａ8＝-2.507×10-2，
Ａ9＝-4.423×10-2，  Ａ10＝-1.167×10-1，
Ａ11＝-2.360×10-2，  Ａ12＝8.326×10-2，
Ａ13＝6.333×10-2，  Ａ14＝1.093×10-1，
Ａ15＝0，  Ａ16＝0
（第５面）
Ｋ＝0.02922，
Ａ3＝-4.653×10-2，  Ａ4＝1.952×10-3，
Ａ5＝-5.207×10-2，  Ａ6＝-1.423×10-1，
Ａ7＝-4.992×10-2，  Ａ8＝-3.308×10-2，
Ａ9＝5.644×10-2，  Ａ10＝9.454×10-2，
Ａ11＝7.390×10-2，  Ａ12＝2.442×10-2，
Ａ13＝-8.387×10-2，  Ａ14＝-1.935×10-1，
Ａ15＝0，  Ａ16＝0
（第６面）
Ｋ＝1.22120，
Ａ3＝-6.625×10-2，  Ａ4＝-3.120×10-2，
Ａ5＝5.154×10-3，  Ａ6＝-2.099×10-2，
Ａ7＝5.391×10-3，  Ａ8＝7.214×10-3，
Ａ9＝1.780×10-3，  Ａ10＝1.782×10-3，
Ａ11＝-6.889×10-4，  Ａ12＝-6.510×10-4，
Ａ13＝5.390×10-4，  Ａ14＝4.584×10-6，
Ａ15＝0，  Ａ16＝0
（第７面）
Ｋ＝-81.82737，
Ａ3＝6.786×10-3，  Ａ4＝-3.301×10-2，
Ａ5＝-5.191×10-3，  Ａ6＝-6.895×10-3，
Ａ7＝1.588×10-3，  Ａ8＝2.108×10-3，
Ａ9＝1.199×10-3，  Ａ10＝1.025×10-3，
Ａ11＝-4.454×10-4，  Ａ12＝-3.274×10-4，
Ａ13＝-1.640×10-4，  Ａ14＝1.154×10-4，
Ａ15＝0，  Ａ16＝0
（第８面）
Ｋ＝2.12700，
Ａ3＝-1.094×10-2，  Ａ4＝-1.213×10-2，
Ａ5＝-5.147×10-3，  Ａ6＝-7.867×10-4，
Ａ7＝-1.224×10-4，  Ａ8＝-1.397×10-4，
Ａ9＝1.445×10-4，  Ａ10＝-1.892×10-5，
Ａ11＝2.527×10-5，  Ａ12＝1.377×10-5，
Ａ13＝-4.789×10-6，  Ａ14＝-3.417×10-6，
Ａ15＝0，  Ａ16＝0
【０１９３】
図３２は、実施例１１にかかる撮像レンズの球面収差図である。また、図３３は、実施例１１にかかる撮像レンズのｄ線（λ＝５８７．５６ｎｍ）における非点収差図および歪曲収差図である。なお、非点収差図における符号Ｓ，Ｍは、それぞれサジタル像面、メリディオナル像面の収差を表す。
【０１９４】
なお、上記数値データにおいて、ｒ1，ｒ2，・・・・は各レンズ面などの曲率半径、ｄ1，ｄ2，・・・・は各レンズなどの肉厚またはそれらの面間隔、ｎｄ1，ｎｄ2，・・・・は各レンズなどのｄ線（λ＝５８７．５６ｎｍ）における屈折率、νｄ1，νｄ2，・・・・は各レンズなどのｄ線（λ＝５８７．５６ｎｍ）におけるアッベ数を示している。
【０１９５】
また、上記各非球面形状は、光軸と垂直な高さをＨ、面頂を原点としたときの高さＨにおける光軸方向の変位量をＸ（Ｈ）とするとき、以下に示す式により表される。
【０１９６】
【数１】
2010026495.tif 000003
【０１９７】
ただし、Ｒは近軸曲率半径、Ｋは円錐係数、Ａ3，Ａ4，Ａ5，Ａ6，Ａ7，Ａ8，Ａ9，Ａ10，Ａ11，Ａ12，Ａ13，Ａ14，Ａ15，Ａ16は、それぞれ３次，４次，５次，６次，７次，８次, ９次，１０次，１１次，１２次，１３次，１４次，１５次，１６次の非球面係数である。
【０１９８】
以上説明したように、上記各条件式を満足することで、樹脂で形成されたレンズを含む場合でも、撮像素子の高画素化に対応しうる高い光学性能を備え、安価で、小型、軽量の撮像レンズを提供することができる。
【０１９９】
また、上記各実施例の撮像レンズは、適宜非球面が形成されたレンズを用いて構成されていることにより、少ないレンズ枚数で諸収差を効果的に補正できるとともに、光学系の小型軽量化、製造コストの低減化を図ることができる。
【産業上の利用可能性】
【０２００】
以上のように、この発明の撮像レンズは、固体撮像素子が搭載された携帯型撮像装置に有用であり、特に、小型高性能が要求される撮像装置に最適である。
【符号の説明】
【０２０１】
Ｇ11，Ｇ21，Ｇ31，Ｇ41，Ｇ51，Ｇ61，Ｇ71，Ｇ81，Ｇ91，Ｇ101，Ｇ111  第１レンズ群
Ｇ12，Ｇ22，Ｇ31，Ｇ42，Ｇ52，Ｇ62，Ｇ72，Ｇ82，Ｇ92，Ｇ102，Ｇ112  第２レンズ群
Ｇ13，Ｇ23，Ｇ33，Ｇ43，Ｇ53，Ｇ63，Ｇ73，Ｇ83，Ｇ93，Ｇ103，Ｇ113  第３レンズ群
Ｌ111，Ｌ211，Ｌ311，Ｌ411，Ｌ511，Ｌ611，Ｌ711，Ｌ811，Ｌ911，Ｌ1011，Ｌ1111  第１レンズ
Ｌ112，Ｌ212，Ｌ312，Ｌ412，Ｌ512，Ｌ612，Ｌ712，Ｌ812，Ｌ912，Ｌ1012，Ｌ1112  第２レンズ
Ｌ121，Ｌ221，Ｌ321，Ｌ421，Ｌ521，Ｌ621，Ｌ721，Ｌ821，Ｌ921，Ｌ1021，Ｌ1121，Ｌ131，Ｌ231，Ｌ331，Ｌ431，Ｌ531，Ｌ631，Ｌ731，Ｌ831，Ｌ931，Ｌ1031，Ｌ1131  レンズ
ＳＴ  開口絞り
ＣＧ  カバーガラス
ＩＭＧ  像面
【図１】
2010026495.tif 000004
【図２】
2010026495.tif 000005
【図３】
2010026495.tif 000006
【図４】
2010026495.tif 000007
【図５】
2010026495.tif 000008
【図６】
2010026495.tif 000009
【図７】
2010026495.tif 000010
【図８】
2010026495.tif 000011
【図９】
2010026495.tif 000012
【図１０】
2010026495.tif 000013
【図１１】
2010026495.tif 000014
【図１２】
2010026495.tif 000015
【図１３】
2010026495.tif 000016
【図１４】
2010026495.tif 000017
【図１５】
2010026495.tif 000018
【図１６】
2010026495.tif 000019
【図１７】
2010026495.tif 000020
【図１８】
2010026495.tif 000021
【図１９】
2010026495.tif 000022
【図２０】
2010026495.tif 000023
【図２１】
2010026495.tif 000024
【図２２】
2010026495.tif 000025
【図２３】
2010026495.tif 000026
【図２４】
2010026495.tif 000027
【図２５】
2010026495.tif 000028
【図２６】
2010026495.tif 000029
【図２７】
2010026495.tif 000030
【図２８】
2010026495.tif 000031
【図２９】
2010026495.tif 000032
【図３０】
2010026495.tif 000033
【図３１】
2010026495.tif 000034
【図３２】
2010026495.tif 000035
【図３３】
2010026495.tif 000036